(57)【要約】【課題】反射光を特定の視角から観察したとき、他の視角より明るく見えるような反射特性を有する反射体の提供。【解決手段】基材１１の表面に複数の溝４８が平面視ストライプ状に形成され、溝４８内には少なくとも一つ以上の斜面部４８ａが形成され、しかも少なくとも斜面部４８ａの表面に反射層１２が形成され、該反射層１２は表面に多数の微小凹凸部がランダムに配置され、複数の斜面部４８ａは傾斜角度θａの大きさが異なることを特徴とする反射体４７。液晶セルの一方の基板１０の外面側または一方の基板１０とこれの内面側に設けられた電極の間に上記反射体４７を設けた反射型液晶表示装置。【選択図】　　　　図２
2004061767.tif 000002
【特許請求の範囲】
【請求項１】
基材の表面に複数の溝が平面視ストライプ状に形成され、前記溝内には少なくとも一つ以上の斜面部が形成され、しかも少なくとも前記斜面部の表面に反射層が形成され、該反射層は表面に多数の微小凹凸部がランダムに配置され、前記複数の斜面部は傾斜角度の大きさが異なることを特徴とする反射体。
【請求項２】
前記表面に多数の微小凹凸部がランダムに配置されてなる反射層の縦断面の断面曲線の傾きが不連続に形成されていることを特徴とする請求項１記載の反射体。
【請求項３】
前記複数の斜面部は傾斜角度が０度を越えて３０度以下の範囲内で不規則に形成されたことを特徴とする請求項１又は２記載の反射体。
【請求項４】
前記斜面部のピッチが５μｍ以上８０μｍ以下の範囲内の一定の大きさとされたことを特徴とする請求項１乃至３のいずれか一項に記載の反射体。
【請求項５】
前記斜面部のピッチが５μｍ以上８０μｍ以下の範囲内で不規則に形成されたことを特徴とする請求項１乃至３のいずれか一項に記載の反射体。
【請求項６】
前記反射層は、前記微小凸部の高さ又は微小凹部の深さが０．３μｍ以上３μｍ以下の範囲内で不規則に形成されたことを特徴とする請求項１乃至５のいずれか一項に記載の反射体。
【請求項７】
前記反射層は、前記隣接する微小凸部又は隣接する微小凹部のピッチが１μｍ以上３０μｍ以下の範囲内で不規則に形成されたことを特徴とする請求項１乃至６のいずれか一項に記載の反射体。
【請求項８】
前記反射層は、粒径が異なる多数の光反射性微小粒子からなるものであることを特徴とする請求項１乃至７のいずれか一項に記載の反射体。
【請求項９】
前記粒径が異なる多数の光反射性微小粒子の半径は、０．５μｍ以上１５μｍ以下の範囲内のものであることを特徴とする請求項８記載の反射体
【請求項１０】
前記表面に多数の微小凹凸部がランダムに配置されてなる反射層の縦断面の断面曲線の傾きが連続するように形成されていることを特徴とする請求項５に記載の反射体。
【請求項１１】
前記反射体は、入射光の正反射角度に対して非対称の反射率分布を有し、しかも反射率の最大値が入射光の正反射角度より小さい受光角度範囲にある非ガウス分布型の反射特性を備えることを特徴とする請求項１乃至１０のいずれか一項に記載の反射体。
【請求項１２】
前記反射率の最大値が受光角に対してフラットな部分を有する非ガウス分布型の反射特性を備えることを特徴とする請求項１１に記載の反射体。
【請求項１３】
表面に複数の溝が平面視ストライプ状に形成され、前記溝内に少なくとも一つ以上の斜面部が形成され、これら複数の斜面部の傾斜角度が異なる基材を用い、該基材の少なくとも前記斜面部の表面に粒径がランダムな多数の光反射性微小粒子を付着させることにより、表面に多数の微小凹凸部がランダムに配置された反射層を形成する工程を備えることを特徴とする反射体の製造方法。
【請求項１４】
表面に複数の溝が平面視ストライプ状に形成され、前記溝内に少なくとも一つ以上の斜面部が形成され、これら複数の斜面部の傾斜角度が異なる基体を用い、前記基体の少なくとも前記斜面部の表面に結晶性ポリマー中に粒径がランダムな多数の微小粒子を分散、混練してなる微小粒子混練液を塗布、硬化させて表面に微小凹凸形状を有する微小粒子混練層を形成して母型を作製する工程と、
前記母型の微小粒子混練層側の表面上に電解によって金属を付着後、離型することより前記微小粒子混練層の表面の微小凹凸形状と凹凸が逆の微小凹凸形状を有する型面を備えた電鋳型を作製する工程と、
基板上に形成した感光性樹脂層の表面に前記電鋳型の型面を押しつけた後、離型して前記感光性樹脂層の表面に前記電鋳型の型面の前記微小凹凸形状と凹凸が略逆の微小凹凸形状を形成することにより、表面に複数の溝が平面視ストライプ状に形成され、前記溝内に少なくとも一つ以上の斜面部が形成され、これら複数の斜面部の傾斜角度が異なり、しかも前記溝内の少なくとも斜面部の表面に多数の微小凹凸がランダムに形成された基材を作製する工程と、
前記基材の表面に金属反射膜を成膜法により成膜することにより表面に多数の微小凹凸がランダムを有する反射層を形成する工程を備えることを特徴とする反射体の製造方法。
【請求項１５】
液晶層を挟んで対向する基板の一方の基板の内面側に電極および配向膜を該一方の基板側から順に設け、他方の基板の内面側に電極および配向膜を該他方の基板側から順に設けた液晶セルの前記一方の基板の外面側または前記一方の基板とこれの内面側に設けられた電極の間に前記請求項１乃至１２のいずれか一項に記載の反射体を設けてなることを特徴とする反射型液晶表示装置。
【請求項１６】
前記反射体に形成された上記複数の斜面部の傾斜角度の平均値は、前記液晶表示装置に対する法線方向と主たる観察方向とのなす角度θに対し約（３０−θ）／２度とされていることを特徴とする請求項１５記載の反射型液晶表示装置。
【発明の詳細な説明】
【０００１】
【発明の属する技術分野】
本発明は、反射体及びその製造方法とこの反射体を備えた反射型液晶表示装置に関する。
【０００２】
【従来の技術】
一般に、液晶表示装置の表示形態には、バックライトを備えた半透過型、透過型と呼ばれるものと、反射型と呼ばれるものがある。反射型液晶表示装置は、太陽光、照明光等の外光だけを利用してバックライト無しで表示する液晶表示装置であり、例えば薄型で、軽量化、低消費電力が要求される携帯情報端末等に多く用いられている。また、半透過型液晶表示装置は、外光が十分得られない環境においてはバックライトを点灯させて透過モードで動作し、外光が十分得られる場合にはバックライトを点灯させない反射モードで動作するものであり、携帯電話やノート型パーソナルコンピュータ（ノート型ＰＣ）等の携帯電子機器に多く用いられている。
【０００３】
反射型液晶表示装置の表示性能には、液晶透過状態の場合、明るい表示性能を有することが要求される。この表示性能を実現するには、外部より入射した光が、反射型液晶表示装置内部で反射され、再び、外部に出射される光に散乱性能を制御することが重要である。このため反射型液晶表示装置では、液晶表示装置表示面に対して、あらゆる角度からの入射光を表示方向（観察者側）に反射させる機能を持たせるために、液晶表示装置内部あるいは外部に設ける反射板に散乱性能を持たせる方式、あるいは、液晶表示装置内部に散乱層を形成し、光が散乱層を透過するときに散乱する前方散乱方式などで反射型液晶表示装置を構成している。
【０００４】
図１０は、液晶パネル内部に散乱性能を持たせた反射板を設けた従来の反射型液晶表示装置の例を示す側面断面図である。この反射型液晶表示装置は、光の入射方向から見て、順次、光透過性の対向基板１０１、液晶層１１０、及び光反射性の素子基板１０２を備え、素子基板１０２には、対向基板１０１を透過した光Ｑを反射し、かつ散乱する反射型の散乱帯が設けられている。散乱帯は、表面に凹凸１２２ａを有する高反射率金属膜１２２とこれの下層の絶縁層１２８からなる反射板１３０からなり、この反射板１３０の１画素あたりの領域が指向性の強い反射特性を有する領域Ａと拡散性の強い反射特性を有する領域Ｂの２つの領域に分けられ、各領域には平均傾斜角度が互いに異なる凹凸面が形成されている。この反射型液晶表示装置は、高反射率金属膜１２２の厚みを薄くするか、あるいは透過用細孔を形成することで、半透過型としても使用可能である。
【０００５】
図１１は、この反射型液晶表示装置に備えられた反射板の反射特性を示す図であり、図１１の曲線（Ａ）は、図１０で示した領域Ａの反射特性であり、図１１の曲線（Ｂ）は図１０で示した領域Ｂの反射特性である。ここでの反射特性は、白色光源を反射板面に対して法線方向に固定し、反射光強度を測定するための検出器を回転させ、反射光の出射角度の依存性を測定したものである。反射特性（Ａ）、（Ｂ）は、それぞれ入射光Ｌの正反射角度に対してガウス分布型の反射特性を示している。１画素の最終的な反射特性は、図１１に示した反射特性（Ｃ）を示しており、この反射特性も入射光の正反射方向に対してガウス分布型の反射特性を示している。
【０００６】
【発明が解決しようとする課題】
ところで、携帯電話やノート型ＰＣ等の携帯情報端末のように、表示面を斜めにして使用する装置に液晶表示装置が組み込まれた場合、図１２に示すように、一般的に表示装置に対する法線方向Ｈに近い方向から見られる場合が多い。また、一般的に観察者（使用者）が表示面（画面）を見るときの主たる観察方向αと法線方向Ｈとのなす角度θは０度乃至２０度の範囲が多い。
図１２は、図１０の液晶表示装置からなる表示部１００が本体１０５に備えられた携帯電話を使用する状態の説明図である。図１２において、Ｈは表示部１００に対する法線、Ｑは入射光、ω０は入射角度（例えば３０度）である。また、Ｒ１は入射角度ω０と反射角度ωが等しいときの反射光（正反射）、Ｒ２は反射角度ωが入射角度ω０より小さい反射光、Ｒ３は反射角度ωが入射角度ω０より大きい反射光である。
【０００７】
図からも理解できるように、観察者の視点Ｏｂは通常法線方向Ｈに近い反射光Ｒ２の方向、より具体的には法線方向Ｈから１０度までの範囲内の方向に集中する。これに対して反射光Ｒ１、Ｒ３　は、表示面を下から見上げるような方向となり見づらいものである。従って、観察者の利用の便宜を考えると、広い視野角を確保すると同時に、正反射より反射角度の小さい方向の反射率をより高くすることが望まれる。
しかしながら図１０に示した従来の反射型液晶表示装置においては、入射光が反射する範囲が広くなる、すなわち、光散乱性は実現できるものの入射光の大部分は正反射およびその近傍の方向に反射する（ガウス分布型の反射特性を示す）ので、正反射およびその周辺の方向から見た表示は明るく見えるものの他の方向から見た表示は暗く見える。
従って、従来の反射型表示装置が表示部に備えられた携帯電話等の表示面を見ると、先に述べたように観察者の視点は通常法線方向Ｈに近い方向に集中するので、表示が暗く、一方、明るい表示を見ようとすると正反射およびその周辺の方向から表示を見なければならず、上記のように表示面を下から見上げるような方向となり見づらいものであった。
【０００８】
本発明は、上記の課題を解決するためになされたものであって、反射光を特定の視角から観察したとき、他の視角より明るく見えるような反射特性を有する反射体を提供することを目的の１つとする。
また、本発明は、このような反射輝度特性を有する反射体の製造方法の提供を目的の一つとする。
また、本発明は、特定の視角から表示を観察したとき、他の視角より明るく見えるような視角特性を有する反射型液晶表示装置を提供することを目的の１つとする。
【０００９】
【課題を解決するための手段】
上記の目的を達成するために本発明の反射体は、基材の表面に複数の溝が平面視ストライプ状に形成され、前記溝内には少なくとも一つ以上の斜面部が形成され、しかも少なくとも前記斜面部の表面に反射層が形成され、該反射層は表面に多数の微小凹凸部がランダムに配置され、前記複数の斜面部は傾斜角度の大きさが異なることを特徴とするものである。
かかる反射体によれば、上記斜面部の傾斜角度、上記斜面部のピッチ、上記反射層を構成する微小凹凸部の形状等を変更することにより、この反射体に入射した光の反射光を特定の視角から観察したとき、他の視角より明るく見えるような反射特性を有するように制御し易い。
【００１０】
上記の構成の本発明の反射体においては、上記表面に多数の微小凹凸部がランダムに形成されている反射層の縦断面の断面曲線の傾きが不連続であるものであってもよい。
【００１１】
また、上記溝内の斜面部の傾斜角度は０度を越えて３０度以下の範囲内で不規則に形成されていることが好ましい。
また、上記斜面部のピッチが５μｍ以上８０μｍ以下の範囲内の一定の大きさに形成されていてもよい。
また、上記斜面部のピッチが５μｍ以上８０μｍ以下の範囲内で不規則に形成されていてもよい。
また、上記反射層は、上記微小凸部の高さ又は微小凹部の深さが０．３μｍ以上３μｍ以下の範囲内で不規則に形成されていることが好ましい。
また、上記反射層は、上記隣接する微小凸部又は隣接する微小凹部のピッチが１μｍ以上３０μｍ以下の範囲内で不規則に形成されていることが好ましい。
また、上記反射層は、粒径が異なる多数の光反射性微小粒子からなるものであってもよい。
また、上記粒径が異なる多数の光反射性微小粒子の半径は、０．５μｍ以上１５μｍ以下の範囲内のものであることが好ましい。
また、上記斜面部のピッチが５μｍ以上８０μｍ以下の範囲内で不規則に形成されている場合には、表面に多数の微小凹凸部がランダムに配置されてなる反射層の縦断面の断面曲線の傾きが連続するように形成されているものであってもよい。
【００１２】
また、本発明の反射体においては、先に述べたように上記斜面部の傾斜角度、上記斜面部のピッチ、上記反射層を構成する微小凹凸部の形状等を変更することにより、入射光の正反射角度に対して非対称の反射率分布を有し、しかも反射率の最大値が入射光の正反射角度より小さい受光角度範囲にある非ガウス分布型の反射特性を備えたものとすることもでき、また、上記斜面部のピッチを一定にすることにより、上記反射率の最大値が受光角に対してフラットな部分を有するようにすることもできる。
かかる構成の反射体によれば、ガウス分布型の反射特性を備えた従来の反射板に比べて、正反射角度より小さい受光角度の反射光量が多くなり、言い換えれば、反射体の法線方向（正視角方向）に近い角度の視角から観察したときの反射光量が多くなり、実用の視点において、特に、反射体の法線方向と主たる観察方向とのなす角度が０乃至２０度において、輝度が高いものが得られる。
【００１３】
また、本発明の反射体の製造方法は、表面に複数の溝が平面視ストライプ状に形成され、前記溝内に少なくとも一つ以上の斜面部が形成され、これら複数の斜面部の傾斜角度が異なる基材を用い、該基材の少なくとも前記斜面部の表面に粒径がランダムな多数の光反射性微小粒子を付着させることにより、表面に多数の微小凹凸部がランダムに配置された反射層を形成する工程を備えることを特徴とするものである。
かかる構成の反射体の製造方法によれば、上記の構成の本発明の反射体を製造できる。
【００１４】
また、本発明の反射体の製造方法は、表面に複数の溝が平面視ストライプ状に形成され、前記溝内に少なくとも一つ以上の斜面部が形成され、これら複数の斜面部の傾斜角度の大きさが異なる基体を用い、前記基体の少なくとも前記斜面部の表面に結晶性ポリマー中に粒径がランダムな多数の微小粒子を分散、混練してなる微小粒子混練液を塗布、硬化させて表面に微小凹凸形状を有する微小粒子混練層を形成して母型を作製する工程と、
前記母型の微小粒子混練層側の表面上に電解によって金属を付着後、離型することより前記微小粒子混練層の表面の微小凹凸形状と凹凸が逆の微小凹凸形状を有する型面を備えた電鋳型を作製する工程と、
基板上に形成した感光性樹脂層の表面に前記電鋳型の型面を押しつけた後、離型して前記感光性樹脂層の表面に前記電鋳型の型面の前記微小凹凸形状と凹凸が略逆の微小凹凸形状を形成することにより、表面に複数の溝が平面視ストライプ状に形成され、前記溝内に少なくとも一つ以上の斜面部が形成され、これら複数の斜面部の傾斜角度が異なり、しかも前記溝内の少なくとも斜面部の表面に多数の微小凹凸がランダムに形成された基材を作製する工程と、
前記基材の表面に金属反射膜を成膜法により成膜することにより表面に多数の微小凹凸がランダムを有する反射層を形成する工程を備えることを特徴とする。かかる構成の反射体の製造方法によれば、上記の構成の本発明の反射体を製造できる。
【００１５】
また、本発明の反射型液晶表示装置は、液晶層を挟んで対向する基板の一方の基板の内面側に電極および配向膜を該一方の基板側から順に設け、他方の基板の内面側に電極および配向膜を該他方の基板側から順に設けた液晶セルの上記一方の基板の外面側または上記一方の基板とこれの内面側に設けられた電極の間に上記にいずれかの構成の本発明の反射体を設けてなることを特徴とする。
かかる反射型液晶表示装置によれば、上記のいずれかの構成の本発明の反射体が備えられたことにより、特定の視角から表示を観察したとき、他の視角より明るく見えるような視角特性を有することができる。また、先に述べたような非ガウス分布型の反射特性を示す反射体が備えられている場合には、反射光量は観察者の視点に近い方向の分布が高くなり、実用の視点において、特に、液晶表示装置に対する法線方向と主たる観察方向とのなす角度が０度乃至２０度において、明るい表示（画面）の液晶表示装置を実現できる。
【００１６】
上記反射体に形成された上記複数の斜面部の傾斜角度の平均値は、上記液晶表示装置に対する法線方向と主たる観察方向とのなす角度θに対し約（３０−θ）／２度とされていることが好ましい。
【００１７】
【発明の実施の形態】
以下、本発明の実施の形態を図面を参照して説明するが、本発明は以下の実施の形態に限定されるものではない。
（第１の実施形態）
図１は、本発明の第１の実施形態である反射型液晶表示装置の部分断面構造を模式的に示した図である。
図１においてこの反射型液晶表示装置１は、液晶層３０を挟持して対向する透明なガラスなどからなる第１の基板（一方の基板）１０と、第２の基板（他方の基板）２０とをこれら２枚の基板１０、２０の周縁部に環状に設けられたシール材で接着一体化した構成である。
第１の基板１０の液晶層３０側には順に、反射体４７と、透明介在層５３と、カラー表示を行うためのカラーフィルタ１３と、カラーフィルタ１３による凹凸を平坦化するためのオーバーコート膜（透明平坦化層）１４と、液晶層３０を駆動するための透明電極層１５と、液晶層３０を構成する液晶分子の配向を制御するための配向膜１６とが積層形成されている。また、第２の基板２０の液晶層３０側には順に、透明電極層２５、オーバーコート膜２４、配向膜２６が積層形成されている。また、液晶層３０を挟む透明電極層１５と透明電極層２５とは、互いに直交するストライプ状に形成されていてその交点領域が画素となる単純マトリックス型の液晶装置を構成している。
【００１８】
上記の第１の基板１０と第２の基板２０と、これら基板間に設けられた各構成部材により、液晶セル３５ｂが構成されている。
第２の基板２０の液晶層３０側と反対側（第２の基板２０の外面側）には、位相差板２７と、偏光板２８がこの順で積層されている。この偏光板２８の外側面は表示面１ａになっている。
【００１９】
反射体４７は、基材１１と、多数の微小凹凸部がランダムに配置されてなる反射層１２とから構成されている。図２は、この反射体４７の一部分を示す拡大断面図である。基材１１は、アクリル系レジストなどの感光性樹脂からなるものである。基材１１の表面には、複数の溝４８が平面視ストライプ状に形成されている。この溝４８は縦断面視楔状のもので、第一斜面部４８ａとこの第一斜面部４８ａより傾斜角度が急である第二斜面部４８ｂとから構成されている。従って、基材１１の表面には、複数の第一斜面部４８ａ及び複数の第二斜面部４８ｂが配置されていることになる。
【００２０】
これら複数の第一斜面部４８ａの基準面Ｓに対する傾斜角度θａは一定でなく、異なるものである。
複数の第一の斜面部４８ａの傾斜角度θａは０度を越えて３０度以下の範囲内（即ち０°＜θａ≦３０°）で不規則に形成されており、好ましくは５度以上２０度以下の範囲内で不規則に形成されている。
第一斜面部４８ａの傾斜角度θａが５度未満であると、表示面の法線方向からはずれて下から見上げる方向の反射輝度が高くなることとなってしまい、２０度を越えると表示面の法線方向に対し上から見下ろす方向に反射輝度が高い領域ができるため、通常の使用状態で表示面を見る場合の表示の明るさが暗くなってしまう。
例えば、複数の第一斜面部４８ａは図２の左側から順に、θａ＋１、θａ＋２、θａ＋３　、θａ＋４　、θａ＋５　の５種類の傾斜角度θａのものが配列されている。これら傾斜角度の大きさは、θａ＋３　＜θａ＋１＜θａ＋２＜θａ＋５＜θａ＋４とされている。
また、複数の第一斜面部４８ａの傾斜角度θａの平均値は、液晶表示装置１に対する法線方向Ｈ１と観察者の主たる観察方向α１とのなす角度θに対し約（３０−θ）／２度とされていることが反射に関する原理から観察方向を特に明るくできる点で好ましい。具体的には、上記角度θは、実用の視点において、通常、０度乃至２０度であるので、上記複数の第一斜面部４８ａの傾斜角度θａの平均値は５〜１５度程度とされていることが好ましい。
【００２１】
第二斜面部４８ｂの基準面Ｓに対する傾斜角度θｂは９０度以上１３５度以下の範囲内の一定の大きさであり、好ましくは９５度以上１２０度以下の範囲内とされる（なお、図２では傾斜角度θｂが９０度である場合について図示した。）。
第二斜面部４８ｂの傾斜角度θｂが９５度未満であると、ばらつきにより鋭角の斜面が形成されることになり、第二斜面部へのランダムな微小凹凸が事実上加工不可能となってしまい、１２０度を越えると緩斜面θｂの第二斜面部４８ｂの存在割合が増えて、反射特性が悪くなる結果となってしまう。
なお、上記基準面Ｓとは、基板１０の表面と平行な面で、各溝４８の最深点を含む面である。
【００２２】
第一斜面部４８ａのピッチＰは、５μｍ以上８０μｍ以下の範囲内であることが好ましく、より好ましく１０μｍ以上６０μｍ以下の範囲内である。
第一斜面部４８のピッチＰが５μｍ未満であるとピッチが非常に細かくなり、第一斜面部の形成のために加工能率が悪くなること、第二斜面部の高さが小さくなり、必要な反射特性が得られにくくなってしまい、８０μｍを越えるとピッチが粗すぎるため、第一斜面部により反射特性制御ができにくく、所望の反射特性が得られにくくなってしまう。
また、本実施形態では第一斜面部４８ａのピッチＰは上記の範囲内の大きさであれば、一定であっても、あるいは不規則（異なる大きさ）に形成されていてもよいが、不規則に形成されている方が一定とするよりも反射層１２の表面の微小凹凸部の形状の自由度が大きい点で好ましい。なお、図２では複数の第一斜面部４８ａのピッチが不規則に形成されている場合について図示しており、図２の左側から順に、Ｐ１、Ｐ２、Ｐ３　、Ｐ４、Ｐ５　の５種類のピッチで配列されている。これらピッチＰの大きさは、Ｐ２＞Ｐ５＞Ｐ１＞Ｐ４＞Ｐ３とされている。
【００２３】
また、この第一斜面部４８ａのピッチＰは、液晶表示装置の電極やカラーフィルタ１３のパターン（Ｒ、Ｇ、Ｂのパターンやブラックマスクの模様）とモアレを生じないような関係になっていることが好ましい。
第一斜面部４８ａのピッチＰが一定のときにピッチＰの繰返し周期の方向と、上記電極やカラーフィルタのパターンの繰返し周期の方向が同じである場合は、モアレ模様等の光学的な干渉は発現しないが、上記電極やカラーフィルタのパターンにバラツキが生じていたり、第一斜面部４８ａのピッチＰの繰返し周期の方向と、上記電極やカラーフィルタのパターンの繰返し周期の方向が異なる場合や、第一斜面部４８ａのピッチＰが不規則である場合には、光学的に干渉が発現する場合がある。その場合には、反射体４７の表面から基板２０までの間のいずれかの層間に拡散層や散乱層を介在させることにより、光学的な干渉の発生を抑え、優れた視認性を得ることができる。
各第一斜面部４８ａの高さｈは、その第一斜面部４８ａの傾斜角度θａとピッチＰに依存し、即ち、ｈ＝Ｐ×ｔａｎθａなる関係式で示される。
【００２４】
上記のような第一斜面部４８ａと第二斜面部４８ｂの表面に粒径が異なる多数の光反射性微小粒子４９が分散、接着されてなる粒子分散層が１層形成され、この粒子分散層により上記多数の微小凹凸部がランダムに配置されてなる反射層１２が形成されている。
光反射性微小粒子４９としては、アルミナ粒子、ジビニルベンゼン系重合体等の有機系ビーズ、ＳｉＯ２からなる真球ビーズ等が適宜選択して用いられる。光反射性微小粒子４９の半径は、０．５μｍ以上１５μｍ以下の範囲内のものが用いられる。
【００２５】
反射体４７を、基材１１に形成された多数の溝４８の最深点を通過する特定の縦断面で縦断したとき、反射層１２は図３に示すように縦断面の断面曲線の傾きが不連続なものであり、言い換えれば、縦断面の断面曲線の一次微分係数が不連続になっている。微小凸部１２ａと微小凸部１２ａの接続部（境界部）１２ｄは曲面を有していない。
この反射層１２は、半径の範囲が上記の範囲の多数の光反射性微小粒子４９からなる粒子分散層から構成されているので、微小凹部１２ｂの深さＤが０．３μｍ以上３μｍ以下の範囲内で不規則にばらついている。ここでの微小凹部１２ｂの深さＤとは、微小凸部１２ａの頂部のうち基材１１の表面からの距離が最も大きい頂部を含む反射層１２の基準面Ｓ２からの距離である。微小凹部１２ｂの深さＤが３μｍを越えると、この反射層１２上に透明介在層５３を形成して平坦化する場合に微小凸部１２ａの頂部が透明介在層５３で埋めきれず、所望の平坦性が得られなくなり、表示むらの原因となる。
【００２６】
また、この反射層１２は、半径の範囲が上記の範囲の多数の光反射性微小粒子４９からなる粒子分散層から構成されているので、隣接する微小凹部１２ｂのピッチＰａが１μｍ以上３０μｍ以下の範囲内で不規則にばらついている。
このような反射体４７は、図１、図２に示すように各溝４８の第一傾斜面４８ａの方向が観察者の視点Ｏｂ１から遠い側（Ｙ方向側）となるように設けられており、言い換えれば、各溝４８の第二傾斜面４８ｂの方向が観察者の視点Ｏｂ１から近い側（Ｙ方向と反対側）となるように設けられている。
【００２７】
このような構成の反射体４７によれば、反射体４７に入射した光の反射光を特定の視角から観察したとき、他の視角より明るく見えるような反射特性を有するように制御し易い。
また、第一斜面部４８ａの傾斜角度θａ、溝４８のピッチ、反射層１２を構成する微小凹凸部の形状等を変更することにより、入射光の正反射角度に対して対称の反射率分布を有し、反射率の最大値が受光角に対してフラットな部分を有する非ガウス分布型の反射特性を備えることができる。このような反射特性を備えた反射体４８によれば、反射率の最大値は正反射角度を中心として上記正反射角度より大きい受光角度及び上記正反射角度より小さい受光角度まで広がるので、ガウス分布型の反射特性を備えた従来の反射板に比べて反射光量が高い領域が広がるので正反射角度より小さい受光角度の反射光量が多くなり、輝度が高くなる。
【００２８】
また、この反射体４７は、第一斜面部４８ａの傾斜角度θａ、溝４８のピッチ、反射層１２を構成する微小凹凸部の形状等を変更することにより、入射光の正反射角度に対して非対称の反射率分布を有し、しかも反射率の最大値が入射光の正反射角度より小さい受光角度範囲にある非ガウス分布型の反射特性を備えたものとすることもでき、また、第一斜面部４８ａのピッチＰを一定にすることにより、上記反射率の最大値が受光角に対してフラットな部分を有するようにすることもできる。
【００２９】
上記ような反射体４７を製造するには、表面に複数の溝４８が平面視ストライプ状に形成され、傾斜角度θａが異なる複数の第一斜面部４８ａを備えた基材１１を用意し、基材１１の第一斜面部４８ａ及び第二斜面部４８ｂの表面に、粒径がランダムな多数の光反射性微小粒子４９を分散、付着させることにより表面に多数の微小凹凸部がランダムに配置された反射層１２を形成することにより得ることができる。また、上記ような複数の溝４８が形成され、傾斜角度θａが異なる複数の第一斜面部４８ａを備えた基材１１の作製方法としては、例えば、第１の基板１０上に、スピンコート法などによりアクリル系レジストなどの感光性樹脂液を塗布した後、プリベークして感光性樹脂層を形成し、凹凸面を備える転写型を、上記感光性樹脂層の表面に押しつけた後、離型し、上記感光性樹脂層の表面に上記転写型の凹凸面と逆の凹凸形状を形成し、複数の溝４８を平面視ストライプ状に形成することにより得られる。上記転写型の凹凸面は、基材１１の表面の凹凸と逆の凹凸形状のものである。
また、基材１１のその他の作製方法としては、第１の基板１０上に感光性樹脂液を塗布した後、多ステップの露光、現像や、エッチング異方性を利用したフォトリソグラフィー技術により感光性樹脂層の表面に複数の溝４８を平面視ストライプ状に形成することにより得ることができる。
【００３０】
図２に示したように第一斜面部４８ａのピッチＰが異なる大きさにされている場合には、反射層１２は必ずしも図３に示すように縦断面の断面曲線の傾きが不連続なものでなくてもよく、図５に示したように縦断面の断面曲線の傾きが連続的なものであってもよく、言い換えれば、縦断面の断面曲線の一次微分係数が連続になっている反射層７２であってもよい。この反射層７２の凸部７２ａと凸部７２ａの接続部（境界部）７２ｅは曲面を有しており、凹部７２ｂと凹部７２ｂの接続部（境界部）７２ｄも曲面を有している。
この反射層７２は、Ａｌ、Ａｇなどの反射率の高い金属反射膜からなるものであり、その表面には多数の微小凹凸がランダムに形成されているものである。
【００３１】
図４は、複数の第一斜面部４８ａの傾斜角度θａ及びピッチＰが異なる大きさにされた第１の実施形態の反射型液晶表示装置１（但し、反射層は図５に示したように縦断面の断面曲線の傾きが連続的なものである。）に、入射角３０°（この装置の表示面１ａに立てた垂線（法線）の一方の側から表示を観察する観察者の視点Ｏｂ１　の反対側から照明した外光の光軸とのなす角度）で外光を照射し、観察方向α（受光角）を垂線位置（法線位置）（０°）から６０°まで振ったときの受光角（°）と明るさ（反射率）との関係を示している。図４中、点線▲１▼は傾斜角度θａ＋１の第一斜面部４８上に形成された反射層の受光角と反射率との関係を示しており、点線▲２▼は傾斜角度θａ＋２の第一斜面部４８上に形成された反射層の受光角と反射率との関係を示しており、点線▲３▼は傾斜角度θａ＋３の第一斜面部４８上に形成された反射層の受光角と反射率との関係を示しており、点線▲４▼は傾斜角度θａ＋４の第一斜面部４８上に形成された反射層の受光角と反射率との関係を示しており、点線▲５▼は傾斜角度θａ＋５の第一斜面部４８上に形成された反射層の受光角と反射率との関係を示している。実線▲６▼、第１の実施形態の反射型液晶表示装置の受光角と反射率との関係を示している。点線▲１▼〜▲５▼で示す各種の反射層の反射特性はそれぞれガウス分布型の反射特性を示しているが、点線▲１▼〜▲５▼の反射率のピークの大きさは異なっている。また、これら反射層を有する反射体を備えた反射型液晶表示装置の反射特性は、上記点線▲１▼〜▲５▼で示される反射特性を合成した反射特性、即ち、実線▲６▼で示される反射特性を示している。なお、図４中、θａｖは反射体に備えられた複数の第一斜面部の傾斜角度θａの平均値に対応する受光角度である。
【００３２】
図４では、比較例として、従来から用いられている図７に示した反射型液晶表示装置のものの受光角と反射率との関係を二点鎖線▲７▼で示した。図７の反射型液晶表示装置に備えられた反射板１３０の高反射率金属膜１２２は、図１３に示すように縦断面の断面曲線の傾きが連続的なものであり、言い換えれば、縦断面の断面曲線の一次微分係数が連続になっている。高反射率金属膜１２２の凸部１２２ｃと凸部１２２ｃの接続部（境界部）１２２ｅは曲面を有しており、凹部１２２ｂと凹部１２２ｂの接続部（境界部）１２２ｄも曲面を有している。また、高反射率金属膜１２２の下側の絶縁層１２８の表面形状は、高反射率金属膜１２２と同様の形状であり、二つの斜面部からなる縦断面視楔状の溝が設けられていないものである。
【００３３】
図４から明らかなように、比較例の反射型液晶表示装置では反射率のピークは正反射の角度（受光角３０°）にあり、受光角２０°より小さくなると反射率が大幅に小さくなっているガウス分布型の反射特性を示すことから、正反射方向から見た表示は明るく見えるものの他の方向から見た表示は暗く見えると考えられる。
【００３４】
これに対して実線▲６▼で示される特性を有する第１の実施形態の液晶表示装置１では、反射率のピークが受光角３０度より小さい範囲内にあり、受光角約１５°を中心に特に反射率が高いピーク領域が存在しており、すなわち、実線▲６▼で示される特性を有する第１の実施形態の液晶表示装置は、入射光の正反射角度に対して非対称の反射率分布を有し、非ガウス分布型の反射特性を示している。
また、第１の実施形態の液晶表示装置１は受光角０°〜２５°においては比較例に比べ高い反射率を示しており、液晶表示装置に対する法線方向Ｈ１に近い方向から表示を観察したとき、比較例のものより表示が明るく見えると考えられる。
【００３５】
なお、第１の実施形態の液晶表示装置１に備える反射体の反射層が図３に示すように縦断面の断面曲線の傾きが不連続なものである場合には、実線▲６▼で示される反射特性と同様に入射光の正反射角度に対して非対称の反射率分布を有し、非ガウス分布型の反射特性を示しており、また、反射率のピークが受光角３０度より小さい範囲内にあり、さらにこの反射率のピークは実線▲６▼で示されピークと同等以上の高い反射率を示すことができる。
【００３６】
反射層が図５に示したように縦断面の断面曲線の傾きが連続的なものであっても、基材に設けられた複数の第一斜面部４８ａの傾斜角度θａ及びピッチＰが異なる大きさにされていれば、図４の実線▲６▼で示されるような反射特性を示すことができるのは、以下の理由による。
図６は、反射層が縦断面の断面曲線の傾きが連続的なものであり、基材に設けられた複数の第一斜面部４８ａの傾斜角度θａが異なり（θａ＋３＜θａ＋４）、及びピッチＰが同一である（Ｐ３＝Ｐ４）場合にこれら第一斜面部４８ａ上に形成された反射層の受光角と反射率との関係を示しており、実線Ａは傾斜角度θａ＋４の第一斜面部４８上に形成された反射層の受光角と反射率との関係を示しており、実線Ｂは傾斜角度θａ＋３の第一斜面部４８上に形成された反射層の受光角と反射率との関係を示している。実線Ａ〜Ｂで示す各種の反射層の反射特性はそれぞれガウス分布型の反射特性を示しており、また、実線Ａ〜Ｂの反射率のピークの大きさは殆ど同じ大きさであり、これら反射層を有する反射体の反射特性は、対称中心３０−２θａ＋３、３０−２θａ＋４　に対して、それぞれ同じ重み付けの分布を重ね合わせたもの（上記実線Ａ〜Ｂで示される反射特性を合成した反射特性）、即ち、点線Ｃで示される反射特性を示している。各第一斜面部４８上に形成された反射層の受光角と反射率との関係を示すグラフの広がり度合いは、第一斜面部上に形成した多数の微小凹凸部の微小凹部又は凸部の径、深さの度合い等で決まる。即ち、分布の半値幅の比が傾斜角度θａが異なる複数の第一斜面部のピッチＰの比にほぼ等しくなるからである。
【００３７】
図７は、反射層が縦断面の断面曲線の傾きが連続的なものであり、基材に設けられた複数の第一斜面部４８ａの傾斜角度θａが異なり（θａ＋３＜θａ＋４　）、及びピッチＰも異なる（Ｐ３＜Ｐ４）場合にこれら第一斜面部４８ａ上に形成された反射層の受光角と反射率との関係を示しており、実線Ａ１は傾斜角度θａ＋４の第一斜面部４８上に形成された反射層の受光角と反射率との関係を示しており、実線Ｂ１は傾斜角度θａ＋３の第一斜面部４８上に形成された反射層の受光角と反射率との関係を示している。実線Ａ１〜Ｂ１で示す各種の反射層の反射特性はそれぞれガウス分布型の反射特性を示しているが、実線Ａ１〜Ｂ１の反射率のピークの大きさは異なっており、これら反射層を有する反射体の反射特性は、上記実線Ａ１〜Ｂ１で示される反射特性を合成した反射特性、即ち、点線Ｃ１で示される反射特性を示している。このように複数の第一斜面部４８ａの傾斜角度θａが異なる場合に、ピッチＰも異なるようにすることにより、反射層が縦断面の断面曲線の傾きが連続的なものであっても、この反射体に入射した光の反射光を特定の視角（特反射体の法線方向と主たる観察方向とのなす角度が０乃至２０度）から観察したとき、他の視角より明るく見えるような反射特性を有するように制御することが可能である。
なお、反射層が図３に示すように縦断面の断面曲線の傾きが不連続的なものであり、基材に設けられた複数の第一斜面部４８ａの傾斜角度θａが異なる（θａ＋３　＜θａ＋１＜θａ＋２＜θａ＋５＜θａ＋４）が、ピッチＰについて同一とした場合の反射体が備えられた反射型液晶表示装置の反射特性は、図４の実線▲６▼で示される反射特性の各ピークの大きさが同じ大きさになる（点線▲１▼〜▲５▼で示す各反射特性のピークの大きさが同じになる）ような特性を示す。
【００３８】
本実施形態の反射型液晶表示装置１では、表示面１ａに外光が入射すると、入射光Ｑは液晶パネル３５ｂ内に入って各層を透過して反射体４７の表面に到達し、反射体４７の反射層１２によって広角度に反射し、再び上記各層を透過して表示面１ａから出射する。この出射光は広い視野角範囲に散乱するので、この表示面１ａは広い視角から光源の映り込みなく観察することができる。また、液晶表示装置１に対する法線方向Ｈ１から２５度より小さい範囲内の反射光Ｒの量が多くなるので、反射光量は観察者の視点Ｏｂ１に近い方向の分布も高くなり、実用の視点において、特に、法線方向Ｈ１と主たる観察方向α１とのなす角度θが０度乃至２０度において、明るい表示（画面）の液晶表示装置を実現できる。
このため、本実施形態の液晶表示装置を携帯電話やノート型ＰＣなどの携帯電子機器の表示部に組み込むと、特に視認性が良好なものとなる。
なお、第１の実施形態においては第二斜面部４８ｂの表面にも粒径が異なる多数の光反射性微小粒子４９を分散、接着した場合について説明したが、これら光反射性微小粒子４９は第一斜面部４８ａの表面のみに設けられていてもよい。
また、第二斜面部４８ｂは、曲面を有するものであってもよく、その場合の曲面の傾斜角度θｂは先に述べた範囲と同様であることが好ましい。
【００３９】
（第２の実施形態）
次に、本発明の第２の実施形態である反射型液晶表示装置について説明する。この第２の実施形態の反射型液晶表示装置が図１乃至図３に示した第１の反射型液晶表示装置１と異なるところは、液晶セル３５ｂ内に設けられる反射体の構成が異なる点である。
図８は、第２の実施形態である反射型液晶表示装置に備えられた反射体１４７の一部分を示す拡大断面図である。
【００４０】
反射体１４７は、基材１１１と、この基材１１１上に形成された金属反射膜からなる反射層１１２から構成されている。この基材１１１が第１の実施形態の反射体４７に備えられた基材１１と異なるところは、第一斜面部４８ａ及び第二斜面部４８ｂの表面に多数の微小凹凸がランダムに形成されて、基材１１１の表面にも多数の微小凹凸がランダムに形成されており、その上に形成されている反射層１１２に多数の微小凹凸部がランダムに配置された形状を与えて、反射光を効率よく散乱させ、しかも反射体全体としての特定の方向の反射強度を増加させるために設けられているものである。
【００４１】
基材１１１は、微小凹部１１１ｂの深さが０．３μｍ以上３μｍ以下の範囲内で不規則にばらついている。ここでの微小凹部１１１ｂの深さとは、微小凸部１１１ａの頂部のうち基材１１１の表面からの距離が最も大きい頂部を含む面からの距離である。
また、この基材１１１は、隣接する微小凹部１１１ｂのピッチが１μｍ以上３０μｍ以下の範囲内で不規則にばらついている。隣接する微小凹部１１１ｂのピッチが１μｍ未満の場合、基材１１１を形成するために用いる転写型の製作上の制約があり、加工時間が極めて長くなる、所望の反射特性が得られるだけの形状が形成できない、干渉光が発生する等の問題が生じる。
基材１１１に設けられた複数の第一斜面部４８ａの基準面Ｓに対する傾斜角度θａは、第１の実施形態と同様に一定でなく、異なるものである。
また、第一斜面部４８ａのピッチＰは第１の実施形態と同様に一定であっても、あるいは不規則（異なる大きさ）に形成されていてもよい。
【００４２】
そして、本実施形態では表面に多数の微小凹凸がランダムに形成された基材１１１の表面に後述の膜厚の反射層１１２が形成されているので、この反射層１１２に基材１１１の表面の微小凹凸形状が転写され、反射層１１２は表面に多数の微小凹凸がランダムに形成された形状を有している。
反射体１４７を、基材１１１に形成された多数の溝４８の最深点を通過する特定の縦断面で縦断したとき、反射層１１２は図９に示すように縦断面の断面曲線の傾きが不連続なものであり、言い換えれば、縦断面の断面曲線の一次微分係数が不連続になっている。微小凹部１１２ｂと微小凹部１１２ｂの接続部（境界部）１１２ｄは曲面を有していない。なお、微小凹部１１２ｂの形状は、平面視円状であっても、楕円状であってもよく、また、縦断面の断面曲線の形状は円あるいは楕円の円周の一部であってもよい。
【００４３】
反射層１１２を構成する金属反射膜としては、Ａｌ、Ａｇなどの反射率の高い金属材料が用いられる。
反射層１１２の膜厚は、８０ｎｍ〜２００ｎｍ（８００Å〜２０００Å）の範囲であることが好ましい。これは、８０ｎｍより膜厚が薄い場合には、金属反射膜による光の反射率が小さすぎるために反射モード時の表示が暗くなってしまうためであり、２００ｎｍより厚い場合には、成膜コストが必要以上に高くなることと、基材１１１の表面の凹凸形状に対して表面を埋めてしまうようなことが発生し、反射特性を変化させてしまう恐れがあるためである。
【００４４】
この反射層１１２は、微小凹部１１２ｂの深さＤが第１の実施形態と同様の理由により０．３μｍ以上３μｍ以下の範囲内で不規則にばらついている。
また、反射層１１２の隣接する微小凹部１１２ｂのピッチＰａが１μｍ以上３０μｍ以下の範囲内で不規則にばらついている。
【００４５】
このような構成の反射体１４７によれば、第１の実施形態の反射体４７と同様の効果が得られる。
【００４６】
上記ような反射体１４７を製造するには、第一斜面部４８ａ及び第二斜面部４８ｂの表面に微小凹凸が形成されていない以外は上記基材１１１と略同様の形状の基体（第１の実施形態で用いた基材１１と略同様の形状の基体）を用意し、結晶性ポリマー中に粒径がランダムな多数の微小粒子を分散、混練した微小粒子混練液を上記基体の表面に塗布、硬化させて表面に微小凹凸形状を有する微小粒子混練層を形成して、母型とする。なお、上記微小粒子混練層の表面には基体の凹凸形状と略逆の凹凸の凹凸形状も形成される。
上記結晶性ポリマーとしては、液晶性ポリマーなどが用いられる。上記微小粒子としては、上記結晶性ポリマーと屈折率の異なる材料から適宜選択して使用されるが、例えば、アルミナ、ジビニルベンゼン系重合体などの有機系ビーズあるいはシリカ等が適宜選択して用いられる。上記微小粒子の半径は、０．５μｍ以上１５μｍ以下の範囲内のものが用いられる。上記のような結晶性ポリマーに分散された微小粒子は、２次凝集が起きにくく、また、その表面に微小粒子表面が突出した状態になるので、この微小粒子混練液を硬化させた上記の微小粒子混練層の表面も上記微小粒子表面が突出するので、微小凹凸形状を有している。これに対して非結晶性ポリマーを用いる場合、表面エネルギーが高くなるため、微小微粒子が表面に突出せず、微小粒子混練層の表面に微小凹凸形状が形成されない。
【００４７】
次に、上記母型の微小粒子混練層側の表面上にＮｉ等の金属を電解によって必要な厚さに着けた後、離型すると、上記母型の微小粒子混練層の表面の微小凹凸形状と凹凸が逆の微小凹凸形状を有する型面を備えた電鋳型が得られる。
【００４８】
ついで、第１の基板１０上に、スピンコート法などによりアクリル系レジストなどの感光性樹脂液を塗布した後、プリベークして感光性樹脂層を形成し、上記電鋳型の型面を上記感光性樹脂層の表面に押しつけた後、離型し、該感光性樹脂層の表面に上記電鋳型の型面の微小凹凸形状と凹凸が逆の微小凹凸形状を形成すると、表面に複数の溝４８が平面視ストライプ状に形成され、溝４８内に第一斜面部４８ａと第二斜面部４８ｂが形成され、これら複数の斜面部４８ａの傾斜角度θａが異なり、しかも溝４８の表面に多数の微小凹凸がランダムに形成されたた基材１１１が得られる。
ついで、この基材１１１の表面に、Ａｌ等の金属材料をスパッタリング、真空蒸着などの成膜法により上記の厚み範囲の金属反射膜を成膜すると、この金属反射膜も表面に多数の微小凹凸がランダムに配置された形状を有するものとなり、上記反射層１１２が得られる。このようにすると目的とする反射体１４７が得られる。
【００４９】
本実施形態の反射型液晶表示装置では、上記の構成の反射体１４７が備えられたことにより、第１の実施形態の反射型液晶表示装置と同様の効果が得られる。
【００５０】
また、第１〜第２の実施形態においては、外部から入射した光を反射させる反射体４７又は反射体１４７を基板１０と基板２０の間に内蔵した反射体内付けタイプの場合を説明したが、基板１０の外側に反射体を設けた反射体外付けタイプとすることもできる。
また、第１〜第２の実施形態においては、本発明の液晶表示装置を反射型液晶表示装置に適用した場合について説明したが、半透過反射型液晶表示装置にも適用でき、その場合には反射体４７又は反射体１４７の高反射性を有する反射層１２又は１１２を８０ｎｍ〜２００ｎｍの膜厚で形成した後、平面的に見て画素内に微細な開口部をフォトリソグラフィー技術等の方法を用いて形成する。この場合の開口部の面積割合は、１画素ピッチの面積に対し１５％〜３０％になるようにし、第１の基板１０の外面側にバックライトを備えるようにすればよい。
【００５１】
また、第１〜第２の実施形態では、本発明を単純マトリックス型の反射型液晶表示装置に適用した場合について説明したが、薄膜トランジスタまたは薄膜ダイオードを用いたアクティブマトリックス型、またはセグメント型の液晶表示装置などにも同様に適用が可能である。これらの液晶表示装置はいずれも本発明に含まれるものである。
また、第１〜第２の実施形態においては、第２の基板２０と偏光板２８との間に位相差板が１枚設けられた場合について説明したが、位相差板は複数設けられていてもよい。
【００５２】
【発明の効果】
以上、詳細に説明したように、本発明によれば、反射光を特定の視角から観察したとき、他の視角より明るく見えるような反射特性を有する反射体が得られる。また、本発明の反射型液晶表示装置によれば、特定の視角から表示を観察したとき、他の視角より明るく見えるような視角特性を有する反射型液晶表示装置が得られる。
【図面の簡単な説明】
【図１】本発明の第１の実施形態の反射型液晶表示装置の部分断面構造を示す図。
【図２】図１の液晶表示装置に備えられた反射体の一部分を示した拡大断面図。
【図３】図１の液晶表示装置に備えられた反射体の反射層を示す断面図。
【図４】第１の実施形態の各第一斜面部上に設けられた反射層及び液晶表示装置と比較例の液晶表示装置の受光角と反射率との関係を示すグラフ。
【図５】図１の液晶表示装置に備えられた反射体の反射層のその他の例を示す断面図。
【図６】反射層が縦断面の断面曲線の傾きが連続的なものであり、基材に設けられた複数の第一斜面部の傾斜角度が異なり、及びピッチが同一である場合にこれら第一斜面部上に形成された反射層の受光角と反射率との関係を示すグラフ。
【図７】反射層が縦断面の断面曲線の傾きが連続的なものであり、基材に設けられた複数の第一斜面部の傾斜角度が異なり、及びピッチＰも異なる場合にこれら第一斜面部上に形成された反射層の受光角と反射率との関係を示すグラフ。
【図８】第２の液晶表示装置に備えられた反射体の一部分を示した拡大断面図。
【図９】図８の液晶表示装置に備えられた反射体の反射層を示す断面図。
【図１０】従来の反射型液晶表示装置の例を示す側面断面図。
【図１１】従来の反射型液晶表示装置に備えられた反射板の反射特性を示す図。
【図１２】携帯電話に備えられた液晶表示装置の使用状態の説明図。
【図１３】従来の反射液晶表示装置に備えられた反射体の反射層を示す断面図。
【符号の説明】
１　液晶表示装置
１ａ　表示面
４７、１４７　反射体
１０　基板（一方の基板）
１１、１１１　基材
１２、７２、１１２　反射層
１２ｄ、１１２ｄ　境界部
１２ａ、７２ａ、１１２ａ　微小凸部
１２ｂ、７２ｂ、１１２ｂ　微小凹部
１３　カラーフィルタ
１４、２４　オーバーコート膜
１５、２５　透明電極層（電極）
１６、２６　配向膜
２８　偏光板
２０　基板（他方の基板）
２７　位相差板
３０　液晶層
３５ｂ　液晶セル
４８　溝
４８ａ　第一斜面部
４８ｂ　第二斜面部
４９　光反射性微粒子
５３　透明介在層
Ｈ１　　　法線方向
Ｏｂ１　視点
Ｐ　ピッチ
Ｄ　深さ
Ｑ　入射光
Ｒ　反射光
θａ　　傾斜角度
α１　　観察方向
【図１】
2004061767.tif 000003
【図２】
2004061767.tif 000004
【図３】
2004061767.tif 000005
【図４】
2004061767.tif 000006
【図５】
2004061767.tif 000007
【図６】
2004061767.tif 000008
【図７】
2004061767.tif 000009
【図８】
2004061767.tif 000010
【図９】
2004061767.tif 000011
【図１０】
2004061767.tif 000012
【図１１】
2004061767.tif 000013
【図１２】
2004061767.tif 000014
【図１３】
2004061767.tif 000015